(57)【要約】【課題】加熱調理器付近に人がいなくとも、鍋や油煙等の影響を受ける心配もなく、赤外線通信を確実に行なうことができ、加熱調理器の使用状態に対応させて適切に排気を自動的に行なうことができる換気制御装置を提供する。【解決手段】加熱調理器の使用と連動させてレンジフード等の換気手段を、赤外線を利用して自動的に駆動制御する換気制御装置において、加熱調理器側に配設された赤外発光ダイオードから発信される赤外線を床面に反射させて換気手段に配設された受光素子に受光させることで、換気装置を駆動制御するように構成した。【選択図】　　　図１
2004020154.tif 000002
【特許請求の範囲】
【請求項１】
加熱調理器の使用と連動させてレンジフード等の換気手段を、赤外線を利用して自動的に駆動制御する換気制御装置において、加熱調理器側に配設された赤外発光ダイオードから発信される赤外線を床面に反射させて換気手段に配設された受光素子に受光させることで、換気装置を駆動制御することを特徴とする換気制御装置。
【請求項２】
前記赤外発光ダイオードは、床面に対して５０°≧θｈ≧５５°の発光角度を持たせて配設されていることを特徴とする請求項１に記載の換気制御装置。
【請求項３】
前記赤外発光ダイオードの放射強度半値角θは、θ≧２３°に設定されていることを特徴とする請求項２に記載の換気制御装置。
【請求項４】
前記加熱調理器側には、水平に赤外線信号を発信させる赤外発光ダイオードを並設したことを特徴とする請求項１乃至請求項３のいずれかに記載の換気制御装置。
【請求項５】
前記換気手段に配設される受光素子の受光角度θＪは、９０°−θｈとしたことを特徴とする請求項１乃至請求項４のいずれかに記載の換気制御装置。
【発明の詳細な説明】
【０００１】
【発明の属する技術分野】
この発明は、ガスコンロ等の加熱調理器の使用と連動させてレンジフード等の換気手段を、赤外線を利用して自動的に駆動制御する換気制御装置に関する。
【０００２】
【従来技術とその課題】
近年の住宅は気密化が進んでおり、かかる住宅でガスコンロ等の加熱調理器の使用したときには、排気を行なう必要があるが、往々にしてレンジフードの運転忘れをしたり、また、レンジフードに配置される操作スイッチが床面からかなり高い位置に配置されるのが一般的であることから、お年寄りや背が低い人からすると、スイッチ操作が非常に難しいことから、加熱調理器を使用した場合には、自動的にレンジフードや換気扇等の換気装置を運転・停止させる方式が望ましい。
【０００３】
かかる事情から、従来、加熱調理器を使用したときに、赤外線を利用して自動的に換気装置を駆動制御するものが種々提案されている。
【０００４】
この従来の赤外線を利用した通信方式では、加熱調理器側に配設される赤外発光ダイオードから床面に対して水平に発信された赤外線信号（リモート出力波形）が、加熱調理器前面に立っている人や比較的近い距離（２ｍ以内）にある壁や食器棚等の反射物に反射させることで、換気装置に搭載された赤外線受光素子に到達させて換気装置を運転させ、また、加熱調理器の使用を操作スイッチで消火したときには、該消火スイッチの赤外線信号を上記受光素子で受光して、その運転を停止させるように構成されていた。
【０００５】
しかしながら、上記従来の赤外線を利用した換気装置にあっては、加熱調理器前に人がいなかったり、加熱調理器から近い距離に反射物がない場合には、上記赤外線信号が確実に受光素子まで届かない、という問題を有していた。
【０００６】
即ち、赤外線通信は、赤外発光ダイオード自体が指向性を有し、また、赤外線到達距離も限られてくるので、反射を利用したこの類の通信方式はそれなりの制約を受ける。例えば、人が加熱調理器の前に立たなければレンジフードが作動しないとか、黒い服を着用した場合には作動しないなど、多くの制約が課せられるケースが多い。
【０００７】
また、この種の赤外線通信システムは、発光部と受光部とが近い距離であれば通信不良が発生しにくいので、加熱調理器とレンジフードのような配置間隔が１ｍ程度のものには好適であるため、通常の配置形態としては、加熱調理器のトップ面に発光部を、レンジフード側には下向きに受光部を配置するのが望ましい。
【０００８】
しかしながら、加熱調理器のトップ面は鍋等によって発光部が塞がれる可能性があり、また、レンジフード側の受光部は油煙などによる汚れの影響を直接受けるため、通信不良が発生する虞が大きい、という課題を有していた。
【０００９】
この発明は、かかる現状に鑑み創案されたものであって、その目的とするところは、加熱調理器付近に人がいなくとも、赤外線通信を確実に行なうことができ、また、鍋や油煙等の影響を受ける心配がないので通信不良を確実に防止し、お年寄りでも背が低い人でも、加熱調理器の使用状態に対応させて適切に排気を自動的に行なうことができ、ユニバーサルデザイン化を容易に実現することができる換気制御装置を提供しようとするものである。
【００１０】
【課題を解決するための手段】
上記目的を達成するため、請求項１に記載の発明にあっては、加熱調理器の使用と連動させてレンジフード等の換気手段を、赤外線を利用して自動的に駆動制御する換気制御装置を技術的前提とし、加熱調理器側に配設された赤外発光ダイオードから発信される赤外線を床面に反射させて換気手段に配設された受光素子に受光させることで、換気装置を駆動制御することを特徴とするものである。
【００１１】
この場合、前記赤外発光ダイオードは、請求項２に記載したように、床面に対して５０°≧θｈ≧５５°の発光角度を持たせ、かつ、請求項３に記載したように、前記赤外発光ダイオードの放射強度半値角θを、θ≧２３°に設定することで、人がいなくても、加熱調理器の使用態様により、換気手段の駆動制御をより確実にコントロールすることができる。
【００１２】
また、この発明にあっては、請求項４に記載したように、上記加熱調理器側に、補助的に、水平に赤外線信号を発信させる赤外発光ダイオードを並設することで、床面反射方式の通信経路が塞がれた場合であっても、換気手段の駆動制御をより確実にコントロールすることができる。
【００１３】
さらに、この発明にあっては、前記換気手段に配設される受光素子の受光角度θＪを、請求項５に記載したように、９０°−θｈとするのが望ましく、角度を付けたことで、受光部が油煙等の影響を受けにくくなる。
【００１４】
【発明の実施の形態】
以下、添付図面に示す実施の形態例に基づきこの発明を詳細に説明する。
【００１５】
図１と図２は、この発明の実施の第１形態例に係る換気制御装置を示しており、該換気制御装置は、ガスコンロ１の前面側に配設された点火・消火スイッチ（図示せず）を操作することで、赤外線信号を発信する赤外発光ダイオード２が、図１に示すように、ガスコンロ１の前面側下部に配設されており、また、上記赤外線信号を受信する受光素子３は、図２に示すように、レンジフード４の前面傾斜面部５に配置されて構成されている。
【００１６】
上記赤外発光ダイオード２は、上記点火・消火スイッチを点火モードにセットすると発信する起動用赤外線信号を床面Ｆに反射させてレンジフード４の受光素子３に受光させることで、換気ファンをオン作動させて換気し、また、点火・消火スイッチを消火モードにセットすると発信する停止用赤外線信号を床面Ｆに反射させてレンジフード４の受光素子３に受光させることで、換気ファンをオフ作動させるように構成されている。
【００１７】
本形態例では、上記赤外発光ダイオードから発射される赤外線は、床面Ｆに対して５０°≧θｈ≧５５°の発光角度を持たせ、かつ、上記赤外発光ダイオード２の放射強度半値角θを、θ≧２３°に設定していると共に、上記レンジフードに配設された受光素子の受光角度θＪを、９０°−θｈに設定している。これにより、ガスコンロ１の前方に人がいなくても、また、近くに食器棚のような反射物がなくとも、上記赤外線信号を確実に受光素子３で受信することができる。実験の結果、上記範囲外では、確実な通信状態を得ることができなかった。
【００１８】
最近の加熱調理器では、タイマー機能を搭載したものが普及しているが、タイマー調理にて自動消火が行なわれた場合、その時点で加熱調理器の前に必ずしも人が立っているとは限らず、従来のような方式の赤外線通信方式では、このような場合、通信不良が発生し、レンジフードが運転し続ける、といった不具合が発生するが、この形態例に係る換気制御装置では、タイマー消火された場合でも、確実な通信を行ないレンジフードの換気作動を停止させることができる。
【００１９】
図３は、この発明の第２形態例に係る換気制御装置を示しており、この形態例では、上記ガスコンロ１の前面に人が立った場合に、床面Ｆに向かって発射された赤外線の通信経路が塞がれる可能性があるため、ガスコンロ１の前面部に、補助的に、水平に赤外線信号を発信させる赤外発光ダイオード２Ａを並設して構成した他は、他の構成・作用は第１形態例と同様に構成されているので、図面には第１形態例で用いた符号と同一の符号を付して、その詳細な説明をここでは省略する。
【００２０】
【発明の効果】
この発明に係る換気制御装置は、以上説明したように構成されているので、加熱調理器付近に人がいなくとも、赤外線通信を確実に行なうことができ、また、鍋や油煙等の影響を受ける心配がないので通信不良を確実に防止し、お年寄りでも背が低い人でも、加熱調理器の使用状態に対応させて適切に排気を自動的に行なうことができ、ユニバーサルデザイン化を容易に実現することができ、無駄な運転がないため、省エネである等、幾多の優れた効果を奏する。
【図面の簡単な説明】
【図１】この発明の実施の第１形態例に係る換気制御装置が配設された加熱調理器の前面部の概略構成説明図である。
【図２】同換気制御装置のレンジフード部の概略構成説明図である。
【図３】この発明の実施の第２形態例に係る換気制御装置が配設された加熱調理器とレンジフード部の概略構成説明図である。
【符号の説明】
１　ガスコンロ（加熱調理器）
２，２Ａ　赤外発光ダイオード
３　受光素子
４　レンジフード
【図１】
2004020154.tif 000003
【図２】
2004020154.tif 000004
【図３】
2004020154.tif 000005